(57)【特許請求の範囲】
【請求項１】
被記録媒体を第１経路に給紙する給紙部と、
前記第１経路を区画し、前記給紙部によって給紙された被記録媒体を下方から上方へ案内する湾曲ガイド部と、
前記第１経路を区画し、前記湾曲ガイド部によって上方に案内された被記録媒体の先端部が当接することで、前記給紙部によって被記録媒体が給紙される方向である給紙方向とは反対の方向へ被記録媒体を案内する上部ガイド部と、
該上部ガイド部によって案内された被記録媒体を搬送する搬送部と、
該搬送部によって搬送された被記録媒体の下面を支持する支持部と、
該支持部によって支持されている被記録媒体の上面に画像を記録する記録部と、
前記第１経路の前記湾曲ガイド部と前記上部ガイド部との間と、当該装置の側壁に形成された開口とを連通する第２経路を構成し、被記録媒体が挿入される挿入部と、
を備え、
前記挿入部は、
前記第２経路を区画するとともに、該第２経路に挿入された被記録媒体の下面を支持する下側区画部と、前記第２経路を区画するとともに、前記下側区画部に対向して配置された上側区画部と、を有し、
前記上側区画部は、
前記下側区画部に向かって突出する第１突出部を有し、
前記下側区画部は、
前記第１突出部より前記搬送部側に設けられ、前記上側区画部に向かって突出する第２突出部を有し、
該第２突出部の上端は、前記第１突出部の下端より上側に位置しており、前記第１突出部の下端と前記第２突出部の上端とを側面視において結ぶ直線は、前記上部ガイド部と交わることで、前記搬送部によって搬送された被記録媒体が前記支持部に向かって付勢された状態で前記記録部と前記支持部との間に搬送されることを特徴とする画像記録装置。
【請求項２】
前記第２突出部は、
前記開口から前記搬送部に向かう方向において、上端に向かって傾斜する第１傾斜部を有することを特徴とする請求項１に記載の画像記録装置。
【請求項３】
前記第２突出部は、前記下側区画部の前記搬送部側の端部に設けられており、
前記第２突出部の前記第１経路側は、前記湾曲ガイド部の端部として湾曲していることを特徴とする請求項１又は請求項２に記載の画像記録装置。
【請求項４】
被記録媒体が搬送される方向に直角に交わる方向かつ水平方向を軸方向として回転し、外周面が、前記下側区画部から前記第２経路に突出するとともに、前記湾曲ガイド部から前記第１経路に突出するローラを備えたことを特徴とする請求項１乃至請求項３のいずれかに記載の画像記録装置。
【請求項５】
前記第２突出部の上端は、前記搬送部による被記録媒体の挟持位置と同じ位置、若しくは、該挟持位置より上側に位置することを特徴とする請求項１乃至請求項４のいずれかに記載の画像記録装置。
【請求項６】
前記第２突出部は、第１位置と、当該第１位置よりも先端が下側に位置する第２位置とに姿勢変化可能であって、
前記第２突出部を前記第１位置に向かって付勢する付勢部材を備えたことを特徴とする請求項１乃至請求項４のいずれかに記載の画像記録装置。
【請求項７】
前記第１突出部は、前記上側区画部の前記開口側の端に設けられていることを特徴とする請求項１乃至請求項６のいずれかに記載の画像記録装置。
【請求項８】
前記挿入部に挿入される被記録媒体が載置される手差しトレイを備え、
前記手差しトレイは、
前記第２経路に挿入される被記録媒体が載置される載置位置と、該載置位置から退避する退避位置とに姿勢変化可能とされ、
前記退避位置で前記開口を塞ぎ、前記載置位置では前記開口を開放する遮蔽部を有することを特徴とする請求項１乃至請求項７のいずれかに記載の画像記録装置。
【請求項９】
前記上側区画部は、
被記録媒体が搬送される方向に直角に交わる方向かつ水平方向において前記第２突出部よりも外側に設けられており、前記下側区画部に向かって突出する１対の第３突出部を有し、
該１対の第３突出部の各々の下端は、前記第２突出部の上端より下側に位置することを特徴とする請求項１乃至請求項８のいずれかに記載の画像記録装置。
【請求項１０】
前記１対の第３突出部は、前記搬送部から前記開口に向かう方向において、下端に向かって傾斜する第２傾斜部を有することを特徴とする請求項９に記載の画像記録装置。
【請求項１１】
前記第３突出部は、前記上側区画部の前記搬送部側の端部に設けられており、
前記第３突出部の前記第１経路側は、前記給紙部によって前記湾曲ガイド部へ給紙された被記録媒体を前記上部ガイド部へ案内するため湾曲していることを特徴とする請求項９又は１０に記載の画像記録装置。
【発明の詳細な説明】
【技術分野】
【０００１】
本発明は、被記録媒体に画像を記録する画像記録装置に関し、特に、給紙トレイと手差しトレイとから選択的に給紙される被記録媒体に画像を記録する画像記録装置に関する。
【背景技術】
【０００２】
画像記録装置の多くは、給紙トレイと手差しトレイとから選択的に給紙される被記録媒体に画像を記録する。このような画像記録装置として、特許文献１には複合機が開示されている。特許文献１に記載の複合機では、複合機の底部に給紙トレイが設けられており、給紙トレイから給紙される被記録媒体を、給紙トレイの上方に配設された画像記録部に搬送するための第１の経路が形成されている。
【０００３】
第１の経路には、給紙トレイから給紙された被記録媒体を湾曲させた状態で下方から上方へ案内する湾曲形状の湾曲ガイド部が設けられている。その第１の経路には、さらに、湾曲ガイド部の上方に位置する上部ガイド部が設けられている。湾曲ガイド部によって上方へ案内された被記録媒体の先端部が、上部ガイド部に当接し、その上部ガイド部によって、搬送方向下流側に位置する搬送部に向かって案内される。
【０００４】
また、特許文献１に記載の複合機では、複合機の側壁に手差しトレイが設けられており、手差しトレイから挿入される被記録媒体を画像記録部に搬送するための第２の経路が形成されている。第２の経路は、複合機の側壁に形成された開口と、第１の経路の湾曲ガイド部と上部ガイド部との間とを連通しており、第１の経路と合流する。このような構造によって、特許文献１に記載の複合機では、被記録媒体が、給紙トレイと手差しトレイとの一方から画像記録部に搬送され、画像記録部において、被記録媒体に画像が記録される。
【先行技術文献】
【特許文献】
【０００５】
【特許文献１】特開平７−２３２８４２号公報
【発明の概要】
【発明が解決しようとする課題】
【０００６】
上記特許文献１に記載の複合機では、上述したように、給紙トレイから給紙された被記録媒体の先端部は、上部ガイド部に当接し、その上部ガイド部によって搬送部に向かって案内される。つまり、給紙トレイから給紙された被記録媒体は、上部ガイド部に沿った状態で搬送部によって画像記録部に搬送される。このため、給紙トレイから給紙された被記録媒体は、上部ガイド部によって押さえられた状態で画像記録部に搬送され、その状態の被記録媒体に画像が記録される。
【０００７】
一方、手差しトレイから挿入された被記録媒体は、第２の経路を経由し、湾曲ガイド部と上部ガイド部との間から第１の経路内に挿入される。そして、第１の経路内に挿入された被記録媒体は、上部ガイド部に当接することなく、搬送部によって画像記録部に搬送される。このため、手差しトレイから挿入された被記録媒体は、画像記録部の内部で浮いた状態となり、その状態の被記録媒体に画像が記録される虞がある。このような状態の被記録媒体に画像が記録されると、画像が乱れる虞があり、望ましくない。
【０００８】
本発明は、そのような事情に鑑みてなされたものであり、給紙トレイと手差しトレイとの各々から給紙された被記録媒体に対して、適切に画像を記録することができる画像記録装置を提供することを課題とする。
【課題を解決するための手段】
【０００９】
（１）本発明の画像記録装置は、被記録媒体を第１経路に給紙する給紙部と、前記第１経路を区画し、前記給紙部によって給紙された被記録媒体を下方から上方へ案内する湾曲ガイド部と、前記第１経路を区画し、前記湾曲ガイド部によって上方に案内された被記録媒体の先端部が当接することで、前記給紙部によって被記録媒体が給紙される方向である給紙方向とは反対の方向へ被記録媒体を案内する上部ガイド部と、該上部ガイド部によって案内された被記録媒体を搬送する搬送部と、該搬送部によって搬送された被記録媒体の下面を支持する支持部と、該支持部によって支持されている被記録媒体の上面に画像を記録する記録部と、前記第１経路の前記湾曲ガイド部と前記上部ガイド部との間と、当該装置の側壁に形成された開口とを連通する第２経路を構成し、被記録媒体が挿入される挿入部と、を備え、前記挿入部は、前記第２経路を区画するとともに、該第２経路に挿入された被記録媒体の下面を支持する下側区画部と、前記第２経路を区画するとともに、前記下側区画部に対向して配置された上側区画部と、を有し、前記上側区画部は、前記下側区画部に向かって突出する第１突出部を有し、前記下側区画部は、前記第１突出部より前記搬送部側に設けられ、前記上側区画部に向かって突出する第２突出部を有し、該第２突出部の上端は、前記第１突出部の下端より上側に位置しており、前記第１突出部の下端と前記第２突出部の上端とを側面視において結ぶ直線は、前記上部ガイド部と交わることを特徴とする。
【００１０】
上記構成において、被記録媒体が給紙トレイから給紙された場合に、被記録媒体の先端部は、上部ガイド部に当接し、その上部ガイド部によって搬送部に向かって案内される。一方、被記録媒体が手差しトレイから挿入された場合に、被記録媒体は、第１突出部の下端と第２突出部の上端とによって、上部ガイド部に向かって案内される。このため、手差しトレイから給紙された被記録媒体の先端部は、上部ガイド部に当接し、その上部ガイド部によって搬送部に向かって案内される。これにより、給紙トレイから給紙された被記録媒体と、手差しトレイから挿入された被記録媒体とを同じ姿勢で記録部に搬送することが可能となり、画像記録時において、給紙トレイと手差しトレイとの各々から給紙された被記録媒体の浮きを防止することが可能となる。
【００１１】
（２）前記第２突出部は、前記開口から前記搬送部に向かう方向において、上端に向かって傾斜する第１傾斜部を有することを特徴とする。
【００１２】
上記構成において、手差しトレイから挿入された被記録媒体は、第２突出部の傾斜部に沿って挿入される。このため、手差しトレイからの被記録媒体の挿入を円滑に行うことが可能となる。
【００１３】
（３）前記第２突出部は、前記下側区画部の前記搬送部側の端部に設けられており、前記第２突出部の前記第１経路側は、前記湾曲ガイド部の端部として湾曲していることを特徴とする。
【００１４】
（４）本発明の画像記録装置は、被記録媒体が搬送される方向に直角に交わる方向かつ水平方向を軸方向として回転し、外周面が、前記下側区画部から前記第２経路に突出するとともに、前記湾曲ガイド部から前記第１経路に突出するローラを備えたことを特徴とする。
【００１５】
上記構成により、１つのローラによって、第１経路と第２経路との双方において、被記録媒体の搬送の円滑化を図ることが可能となる。
【００１６】
（５）前記第２突出部の上端は、前記搬送部による被記録媒体の挟持位置と同じ位置、若しくは、該挟持位置より上側に位置することを特徴とする。
【００１７】
上記構成により、第２突出部の上端と、搬送部による被記録媒体の挟持位置とを側面視において結ぶ直線を、搬送部に向かって前傾姿勢とすることが可能となる。これにより、被記録媒体が搬送部によって挟持された際に、被記録媒体を搬送部に向かって前傾姿勢とすることが可能となり、画像記録時における被記録媒体の浮きを防止することが可能となる。
【００１８】
（６）前記第２突出部は、第１位置と、当該第１位置よりも先端が下側に位置する第２位置とに姿勢変化可能であって、前記第２突出部を前記第１位置に向かって付勢する付勢部材を備えたことを特徴とする。
【００１９】
上記構成により、被記録媒体の剛性が高いほど、第２突出部が被記録媒体によって第２位置に近づけられ、第２突出部の先端位置が下がる。これにより、被記録媒体の剛性が高いほど、被記録媒体の上部ガイド部への当接時の変形量が少なくなり、剛性の高い被記録媒体の過度の変形を抑制することが可能となる。
【００２０】
（７）前記第１突出部は、前記上側区画部の前記開口側の端に設けられていることを特徴とする。
【００２１】
（８）本発明の画像記録装置は、前記挿入部に挿入される被記録媒体が載置される手差しトレイを備え、前記手差しトレイは、前記第２経路に挿入される被記録媒体が載置される載置位置と、該載置位置から退避する退避位置とに姿勢変化可能とされ、前記退避位置で前記開口を塞ぎ、前記載置位置では前記開口を開放する遮蔽部を有することを特徴とする。
【００２２】
上記構成により、手差しトレイが使用されていない場合において、手差しトレイの開口からの塵芥の装置内への侵入を抑制することが可能となる。
【００２３】
（９）前記上側区画部は、被記録媒体が搬送される方向に直角に交わる方向かつ水平方向において前記第２突出部よりも外側に設けられており、前記下側区画部に向かって突出する１対の第３突出部を有し、該１対の第３突出部の各々の下端は、前記第２突出部の上端より下側に位置することを特徴とする。
【００２４】
上記構成により、被記録媒体は、中央部において第２突出部によって上方に押され、両縁部において第３突出部によって下方に押される。このため、被記録媒体は、中央部を上方に突出させた状態で、上部ガイド部に当接する。これにより、上部ガイド部は被記録媒体を好適に搬送部に向かってガイドすることが可能となる。
【００２５】
（１０）前記１対の第３突出部は、前記搬送部から前記開口に向かう方向において、下端に向かって傾斜する第２傾斜部を有することを特徴とする。
【００２６】
上記構成により、湾曲ガイド部によって案内された被記録媒体が第３突出部に当接したとしても、被記録媒体の第３突出部への引っ掛かりを防止することが可能となる。
前記第３突出部は、前記上側区画部の前記搬送部側の端部に設けられており、
【００２７】
（１１）前記第３突出部は、前記上側区画部の前記搬送部側の端部に設けられており、前記第３突出部の前記第１経路側は、前記給紙部によって前記湾曲ガイド部へ給紙された被記録媒体を前記上部ガイド部へ案内するため湾曲していることを特徴とする。
【００２８】
上記構成により、給紙部から給紙された被記録媒体を好適に上部ガイド部へ案内することが可能となる。
【発明の効果】
【００２９】
本発明に記載の画像記録装置によれば、給紙トレイと手差しトレイとの各々から給紙された被記録媒体の浮きを防止することが可能となり、各トレイから給紙された被記録媒体に対して、適切に画像を記録することが可能となる。
【図面の簡単な説明】
【００３０】
【図１】複合機１０の外観を示す斜視図である。
【図２】複合機１０の内部構成を模式的に示す断面図である。
【図３】手差しトレイ３４が閉じられた状態の複合機１０を示す部分断面図である。
【図４】手差しトレイ３４が開けられた状態の複合機１０を示す部分断面図である。
【図５】図２に示すＡＡ線における断面図である。
【図６】変形例１の複合機の内部構成を模式的に示す部分断面図である。
【図７】変形例２の複合機の内部構成を模式的に示す部分断面図である。
【図８】変形例２の複合機の内部を示す斜視図である。
【発明を実施するための形態】
【００３１】
以下、本発明の実施例及び変形例を、図を参照しつつ詳しく説明する。
【００３２】
図１乃至図５を参照し、本発明の複合機１０について説明する。複合機１０は、ファクシミリ機能，プリンタ機能，スキャナ機能，コピー機能等の種々の機能を有している。複合機１０は、ケーシング２０の内部にプリンタ部２２を備えており、プリンタ機能を発揮するプリンタ部２２が、本発明の画像記録装置に相当する。つまり、ファクシミリ機能，スキャナ機能，コピー機能等を発揮するための機能部は、本発明を実現するために必須の構成でないことから、それらの説明は省略する。尚、本実施例では、図２の紙面上の左側、右側、表側、背面側、上側、下側は、それぞれ、複合機１０の前側、後側、右側、左側、上側、下側である。
【００３３】
複合機１０の上面の前側には、操作パネル３０が設けられており、複合機１０は、操作パネル３０からの操作入力に基づいて作動する。複合機１０のケーシング２０の前側の側壁には、開口（図示省略）が形成されており、給紙トレイ３２が、その開口から前後方向に挿抜可能である。給紙トレイ３２は、各種サイズの記録用紙（本発明の被記録媒体の一例）を載置可能であり、ケーシング２０内に挿入された状態で記録用紙をプリンタ部２２に給紙する。
【００３４】
ケーシング２０の後側の側壁には、手差しトレイ３４が開閉可能に配置されている。手差しトレイ３４は、図２の破線の矢印で示されるように、基軸（図示省略）を回動中心軸として回転することで開閉される。図１には、手差しトレイ３４が閉じられた状態の複合機１０が、図２には、手差しトレイ３４が開けられた状態の複合機１０が、それぞれ、示されている。さらに、図３には、手差しトレイ３４が閉じられた状態の複合機１０が、図４には、手差しトレイ３４が開けられた状態の複合機１０が、それぞれ、拡大された状態で示されている。ちなみに、図２では、複合機１０の前側の部分が省略されており、図３，４では、手差しトレイ３４及び、手差しトレイ３４が取り付けられるケーシング２０の一部のみが示されている。
【００３５】
手差しトレイ３４には、開けられた状態において各種サイズの記録用紙が載置可能であり、閉じられた状態において、手差しトレイ３４は、記録用紙を載置可能な載置位置から退避する。つまり、手差しトレイ３４は、載置位置と退避位置とに姿勢を変化させることが可能である。手差しトレイ３４の基端部が取り付けられるケーシング２０の側壁には、開口３８が形成されている。記録用紙は、複合機１０のユーザによって、開けられた状態の手差しトレイ３４の用紙載置面に担持されつつ、開口３８から前方に向けて挿入される。
【００３６】
プリンタ部２２は、給紙トレイ３２から記録用紙を後方に向かって給紙する給紙部４０と、給紙部４０によって給紙された記録用紙に画像を記録するインクジェット方式の記録部４２とを備えている。プリンタ部２２には、記録用紙を給紙部４０から記録部４２まで搬送するための第１の搬送路４４（本発明の第１経路の一例）が形成されている。
【００３７】
給紙部４０は、給紙トレイ３２内に載置された記録用紙を第１の搬送路４４へ向けて給紙するためのものである。給紙部４０は、給紙ローラ５０と、給紙アーム５２と、駆動伝達機構（図示省略）とを備えている。給紙アーム５２は、軸５６を回動軸として、給紙トレイ３２の上方に設けられており、軸５６を中心に回動する。給紙アーム５２の先端部は、自重、又は、弾性体の弾性力によって、下方に付勢されている。給紙アーム５２の先端部には、給紙ローラ５０が回転可能に支持されており、給紙アーム５２の先端部が下方に回動すると、給紙ローラ５０は給紙トレイ３２内に載置された記録用紙に接触する。
【００３８】
給紙ローラ５０は、搬送モータ（図示省略）の駆動力が駆動伝達機構を介して伝達されることで回転する。給紙ローラ５０が記録用紙に接触した状態で回転すると、給紙ローラ５０のローラ面と記録用紙との間の摩擦力により、最上位置の記録用紙が後方に向かって送り出される。給紙トレイ３２の後側の端部には、分離傾斜板５８が形成されており、分離傾斜板５８によって、記録用紙が第１の搬送路４４へガイドされる。
【００３９】
第１の搬送路４４は、分離傾斜板５８の上端付近から記録部４２に渡って延設された湾曲形状の通路である。搬送路４４は、給紙トレイ３２の分離傾斜板５８から上方に向かって連続する湾曲形状の第１ガイド部材６０（本発明の湾曲ガイド部の一例）と、第１ガイド部材６０の上端付近から前方に向かって連続する第２ガイド部材６２（本発明の上部ガイド部の一例）とによって区画される。
【００４０】
第１ガイド部材６０は、給紙トレイ３２から給紙された記録用紙を湾曲させた状態で下方から上方へ導く湾曲形状とされており、第１ガイド部材６０の上端部は、中間部より前方に位置している。このような形状により、記録用紙は、第１ガイド部材６０によって、湾曲された状態で水平面に対して約４５度上方かつ前方に案内される。尚、第１ガイド部材６０の上端部には、搬送コロ６３（本発明のローラの一例）が設けられており、搬送コロ６３の外周面は、第１の搬送路４４に突出している。この搬送コロ６３によって、第１ガイド部材６０に接触する記録用紙の搬送が円滑化される。
【００４１】
また、第２ガイド部材６２は、第１ガイド部材６０の上端部の上方から前方に向かって延び出す形状とされており、第２ガイド部材６２の前側の端部は、中間部より下方に位置している。このような形状により、第１ガイド部材６０によって導かれた記録用紙の先端部が、第２ガイド部材６２に当接する。そして、記録用紙が、第２ガイド部材６２によって水平面に対して約１０度下方かつ前方に向かって案内される。つまり、記録用紙は、第１の搬送路４４を経由して、ケーシング２０内の下方から上方へＵターンして、搬送される。なお、第１ガイド部材６０及び第２ガイド部材６２は、図２の紙面垂直方向（図１での左右方向）へ延びている。
【００４２】
第２ガイド部材６２の前方には、第１搬送ローラ６４及びピンチローラ６６（本発明の搬送部の一例）が設けられている。ピンチローラ６６は、第１搬送ローラ６４に接近離間する方向に移動可能とされており、コイルばね（図示省略）によって、第１搬送ローラ６４に密着するように付勢されている。第１搬送ローラ６４とピンチローラ６６とのニップ点６８（本発明の挟持位置の一例）は、第２ガイド部材６２の前側の端部より下方に位置しており、第２ガイド部材６２によって案内された記録用紙は、ニップ点６８に斜め上方から挿入される。第１搬送ローラ６４は、搬送モータ（図示省略）の駆動により回転し、ニップ点６８に挿入された記録用紙を、ピンチローラ６６と協働して前方に搬送する。
【００４３】
第１搬送ローラ６４及びピンチローラ６６によって搬送された記録用紙は、第１搬送ローラ６４及びピンチローラ６６の前方に配置されたプラテン７０（本発明の支持部の一例）に支持される。プラテン７０の上方には、記録部４２が配置されており、プラテン７０と記録部４２とが所定の距離を隔てて対向している。それらプラテン７０と記録部４２との間を、記録用紙が搬送される。
【００４４】
記録部４２は、記録ヘッド７２を搭載して主走査方向へ往復動するキャリッジ７４を備えている。ここで、主走査方向は、記録用紙の搬送方向と交差する方向であり、本記録部４２では、記録用紙の搬送方向と直交する方向である。記録ヘッド７２には、インクカートリッジ（図示省略）からシアン（Ｃ）・マゼンタ（Ｍ）・イエロー（Ｙ）・ブラック（Ｂｋ）の各色インクが供給される。記録ヘッド７２の下面には、各色インクに応じて複数のノズル（図示省略）が設けられており、各ノズルから各色インクが微小なインク滴として吐出される。これにより、プラテン７０上に支持された記録用紙に画像が記録される。尚、記録部４２は、インクジェット方式に限られず、電子写真方式等の種々の記録方式のものが適用可能である。
【００４５】
記録部４２及びプラテン７０の前方には、第２搬送ローラ７６及び拍車ローラ７８が設けられている。拍車ローラ７８は、第２搬送ローラ７６に接近離間する方向に移動可能とされており、コイルばね（図示省略）によって、第２搬送ローラ７６に密着するように付勢されている。拍車ローラ７８の外周面は、画像が記録された記録用紙の劣化を防止するべく、凹凸形状とされている。第２搬送ローラ７６は、搬送モータ（図示省略）の駆動により回転し、画像が記録された記録用紙を、拍車ローラ７８と協働して前方に搬送する。これにより、画像が記録された記録用紙が、第２搬送ローラ７６及び拍車ローラ７８の前方に配置された排紙トレイ８０に排出される。
【００４６】
また、プリンタ部２２には、記録用紙を手差しトレイ３４から第１の搬送路４４の途中まで搬送するための第２の搬送路８２（本発明の第２経路及び、挿入部の一例）が形成されている。第２の搬送路８２は、ケーシング２０の側壁に形成された開口３８から第１の搬送路４４の第１ガイド部材６０と第２ガイド部材６２との間に渡って延設された通路である。搬送路８２は、所定の間隔を隔てて互いに対向する上側ガイド部材８４（本発明の上側区画部の一例）と下側ガイド部材８６（本発明の下側区画部の一例）とによって区画されている。なお、上側ガイド部材８４及び下側ガイド部材８６は、図２の紙面垂直方向（図１での左右方向）へ延びている。
【００４７】
上側ガイド部材８４の後端部の下縁には、下方に向かって突出する第１突出部８８が形成されている。その第１突出部８８の下方には手差しトレイ３４が配置されている。手差しトレイ３４は、記録用紙が載置される載置面部９０と、載置面部９０から手差しトレイ３４の基軸に向かって連続する凹部９２とに区分けされる。凹部９２は、載置面部９０に直角な方向に凹んだ形状とされている。開口３８は、手差しトレイ３４が開けられた状態において、載置面部９０の凹部９２側の端部と第１突出部８８とによって区画されており、開口３８から載置面部９０に載置された記録用紙が挿入される。また、開口３８から記録用紙と異なる物が入り込んだ場合には、その異物が凹部９２に落ちるようになっている。つまり、凹部９２は、開口３８から入り込んだ異物がケーシング２０内に入り込むことを防いでいる。
【００４８】
手差しトレイ３４の凹部９２は、図４に示すように、手差しトレイ３４が開けられた状態において、載置面部９０の前端から下方に向かって屈曲された第１屈曲部１００と、第１屈曲部１００の下端から前方に向かって屈曲された第２屈曲部１０２と、第２屈曲部１０２の前端から下方に向かって屈曲された第３屈曲部１０４と、第３屈曲部１０４の下端から前方に向かって屈曲された第４屈曲部１０６（本発明の遮蔽部の一例）とに区分けされる。第２屈曲部１０２と第３屈曲部１０４と間の角は、図３に示すように、手差しトレイ３４が閉じられた状態において、上側ガイド部材８４と、僅かな間隔を隔てて向かい合っている。その状態において、前方に延び出す第３屈曲部１０４の前端から第４屈曲部１０６が上方に延び出しており、この第４屈曲部１０６によって、開口３８が塞がれる。つまり、手差しトレイ３４が閉じられた状態において、第４屈曲部１０６は、埃塵等がケーシング２０内へ入り込むことを防いでいる。
【００４９】
また、下側ガイド部材８６の前端部には、上方に向かって突出する第２突出部１０８が形成されている。第２突出部１０８は、図２のＡＡ線における断面図である図５に示すように、４つのリブ１１０によって構成されており、４つのリブ１１０は、等間隔で左右方向に並んで配設されている。各リブ１１０は、図２乃至図４に示すように、斜め上前方に向かって突出しており、各リブ１１０の先端部から開口３８に向かって、つまり、後方に向かって第１傾斜部１１２が形成されている。これにより、開口３８から挿入された記録用紙は、各リブ１１０の第１傾斜部１１２に沿って、円滑に斜め上前方に向かって案内される。
【００５０】
ここで、開口３８から挿入され、各リブ１１０の第１傾斜部１１２によって案内される記録用紙の軌跡を示すべく、図２乃至図４に、第１突出部８８の下端と各リブ１１０の上端とを結ぶ直線を点線１１６にて示す。つまり、点線１１６は、第１突出部８８の下端と各リブ１１０の上端とを側面視において直線状に結ぶ線であり、記録用紙の挿入方向に延びるようにして、第１突出部８８の下端と各リブ１１０の上端とを直線状に結ぶ線である。
【００５１】
点線１１６は、図に示すように、第１の搬送路４４を区画する第２ガイド部材６２と交わっている。このため、第２の搬送路８２を経由して、第１の搬送路４４内に挿入された記録用紙は、先端部、つまり、前側の端部において、第２ガイド部材６２に当接する。記録用紙が、さらに第１の搬送路４４内に挿入されると、記録用紙の先端部が、第２ガイド部材６２によって、斜め下前方に向かって案内される。そして、さらに記録用紙が挿入されると、記録用紙は、第１搬送ローラ６４とピンチローラ６６とのニップ点６８に斜め上方から挿入され、第１搬送ローラ６４とピンチローラ６６とによって、記録部４２とプラテン７０との間に搬送される。これ以降の手差しトレイ３４から挿入された記録用紙に対する記録部４２等の各機能部の作動は、給紙トレイ３２から給紙される記録用紙に対する各機能部の作動と同じであるため、これ以降の説明は省略する。
【００５２】
このような構造によって、プリンタ部２２では、給紙トレイ３２から給紙された記録用紙も、ニップ点６８に斜め上方から挿入され、手差しトレイ３４から給紙された記録用紙も、ニップ点６８に斜め上方から挿入される。このため、給紙トレイ３２と手差しトレイ３４との各々から給紙された記録用紙は、プラテン７０に向かって付勢された状態で、記録部４２とプラテン７０との間に搬送され、その状態の記録用紙に、画像が記録される。これにより、プリンタ部２２では、給紙トレイ３２と手差しトレイ３４との各々から給紙された記録用紙の画像記録時の浮きを防止することが可能となり、給紙トレイ３２と手差しトレイ３４との各々から給紙された記録用紙に対して、適切に画像を記録することが可能となる。
【００５３】
また、第２突出部１０８と対向する第２ガイド部材６２の後側の端部には、図５に示すように、下方に向かって突出する１対のリブ１１８（本発明の第３突出部の一例）が形成されている。１対のリブ１１８は、第２突出部１０８の４つのリブ１１０を左右方向において挟むように形成されており、各リブ１１８の下端は、第２突出部１０８の各リブ１１０の上端の下方に位置している。このため、記録用紙は、中央部において各リブ１１０によって上方に押され、両縁部において各リブ１１８によって下方に押されている。尚、１対のリブ１１８が形成される第２ガイド部材６２の後端部は、上側ガイド部材８４と共に、第２の搬送路８２を区画しており、上側区画部として機能している。
【００５４】
リブ１１０とリブ１１８との間に位置する記録用紙１２０は、図５（ａ）に示すように、中央部を上方に突出させた状態で変形する。この状態の記録用紙１２０が、先端部において第２ガイド部材６２に当接することで、その先端部は、第２ガイド部材６２によって、好適に第１搬送ローラ６４とピンチローラ６６とのニップ点６８に向かって案内される。また、１対のリブ１１８の間の距離は、第１搬送ローラ６４及びピンチローラ６６の幅、つまり、左右方向の長さより長くされている。このため、１対のリブ１１８によって下方に向かって変形した記録用紙の両縁部は、第１搬送ローラ６４とピンチローラ６６とに挟持されることなく搬送される。これにより、記録用紙は、それの両縁部がプラテン７０に向かって変形した状態で、記録部４２とプラテン７０との間に搬送されることで、記録用紙の画像記録時の浮きを好適に防止することが可能となる。なお、図５（ｂ）に示すように、記録用紙１２１の幅、つまり、記録用紙１２１の搬送方向に直交する長さが、１対のリブ１１８の間の距離より短い場合には、記録用紙１２１は、１対のリブ１１８に当接することなく、リブ１１０によって支持される。
【００５５】
ちなみに、第２ガイド部材６２の後端部に形成された各リブ１１８は、図２乃至図４に示すように、斜め下後方に向かって突出しており、各リブ１１８の下端部から第２ガイド部材６２の前端部に向かって、つまり、前方に向かって第２傾斜部１２２が形成されている。第２傾斜部の傾斜面は湾曲しており、給紙トレイ３２から給紙された記録用紙が、第１ガイド部材６０によって第２ガイド部材６２に向かってガイドされた際に、各リブ１１８に当接しても、記録用紙を円滑にガイドすることが可能となる。
【００５６】
また、第１ガイド部材６０に設けられている搬送コロ６３の外周面は、下側ガイド部材８６に形成された開口１２４から第２の搬送路８２に突出しており、搬送コロ６３によって、下側ガイド部材８６に接触する記録用紙の搬送が円滑化される。つまり、搬送コロ６３によって、第１の搬送路４４及び第２の搬送路８２での記録用紙の搬送を円滑化させることが可能となっている。
【００５７】
さらに、下側ガイド部材８６に形成された各リブ１１０の上端部は、第１の搬送路４４を区画する第１ガイド部材６０の上方に張り出している。このため、各リブ１１０の第２の搬送路８２を区画する上面と反対側の面１２６（斜め下前方を向く面）が、第１ガイド部材６０の上端部から連続する湾曲面として機能している。これにより、給紙トレイ３２から給紙された記録用紙を好適に第２ガイド部材６２に向かって案内することが可能となる。
【００５８】
［変形例１］
また、複合機１０のプリンタ部２２では、第２突出部１０８の各リブ１１０の上端は、ニップ点６８より下方に位置しているが、本発明はこれに限らず、例えば、第２突出部の各リブの上端がニップ点６８より上方に位置するプリンタ部であってもよい。図６を参照し、変形例１のプリンタ部１３０（本発明の画像記録装置の一例）について説明する。変形例１のプリンタ部１３０は、上記実施例のプリンタ部２２と比較して、第２突出部１３２の各リブ１３４を除き、上記実施例のものと略同様の構成である。このため、第２突出部１３２の各リブ１３４を説明し、上記実施例と同様の構成要素については、同じ符号を用いて説明を省略する。
【００５９】
プリンタ部１３０の下側ガイド部材８６の前端部には、上方に向かって突出する第２突出部１３２が形成されている。第２突出部１３２は、４つのリブ１３４（図では、１つのみ示されている）によって構成されており、各リブ１３４は、等間隔で左右方向に並んで配設されている。各リブ１３４は、上記実施例の各リブ１１０と略同じ形状であるが、各リブ１３４の上下方向の長さは、上記実施例の各リブ１１０の上下方向の長さより長くされている。このため、各リブ１３４の上端は、ニップ点６８より上方に位置している。
【００６０】
変形例１のプリンタ部１３０では、各リブ１３４の上端がニップ点６８より上方に位置することで、記録用紙の画像記録時の浮きを確実に防止することが可能となっている。詳しく言えば、手差しトレイ３４から挿入された記録用紙が、第２ガイド部材６２に沿ってニップ点６８に挿入されたときに、第１搬送ローラ６４及びピンチローラ６６の搬送にともなって、記録用紙が第２ガイド部材６２から離れる場合がある。このような場合に、記録用紙は、第１搬送ローラ６４及びピンチローラ６６に前方に引っ張られて、ニップ点６８と各リブ１３４の上端との間で、側面視において直線状とされる（図６中の点線１３６参照）。つまり、記録用紙は、ニップ点６８と各リブ１３４の上端との間で、ニップ点６８と各リブ１３４の上端とを含む平面上に位置する。この平面は、各リブ１３４の上端からニップ点６８に向かって下方に傾斜している。このため、この平面上に位置する記録用紙は、プラテン７０に向かって付勢された状態で、記録部４２とプラテン７０との間に搬送される。これにより、記録用紙が第２ガイド部材６２から離れた場合においても、記録用紙の画像記録時の浮きを防止することが可能となる。
【００６１】
［変形例２］
また、上記プリンタ部２２，１３０では、第２突出部１０８，１３２の先端位置は変化しないが、本発明はこれに限らず、例えば、第２突出部の先端位置が変化するプリンタ部であってもよい。図７及び図８を参照し、変形例２のプリンタ部１５０（本発明の画像記録装置の一例）について説明する。変形例２のプリンタ部１５０は、上記実施例のプリンタ部２２と比較して、第２突出部１５２を除き、上記実施例のものと略同様の構成である。このため、第２突出部１５２について説明し、上記実施例と同様の構成要素については、同じ符号を用いて説明を省略する。
【００６２】
プリンタ部１５０の下側ガイド部材８６の前端部には、上方に向かって突出する第２突出部１５２が形成されている。第２突出部１５２は、４つの回動部材１５４（図７では、１つのみ示されている）と、各回動部材１５４に対応して設けられた弾性体１５６（図７では、１つのみ示されている）（本発明の付勢部材の一例）とによって構成されている。各回動部材１５４は、基端部に設けられた軸１５８を回動軸として、下側ガイド部材８６の前端部に設けられている。各回動部材１５４は、先端部が斜め上前方に延び出した状態で、軸１５８を中心に回動する。一方、各弾性体１５６は、各回動部材１５４を、図７での時計回りに付勢する。これにより、各回動部材１５４は、各弾性体１５６によって、図７において点線で示す位置（本発明の第２の位置）から、図７において実線で示す位置（本発明の第１の位置）に向かって付勢されている。
【００６３】
このような構造により、変形例２のプリンタ部１５０では、手差しトレイ３４から給紙される記録用紙の硬さ、つまり、剛性に応じて、第２突出部１５２の上端位置が変化する。詳しく言えば、剛性の高い記録用紙が手差しトレイ３４から給紙された場合には、剛性の高い記録用紙が回動部材１５４に当接し、回動部材１５４が、弾性体１５６の弾性力に抗して回動する。つまり、剛性の高い記録用紙によって、回動部材１５４が、図７での反時計回りに回動し、回動部材１５４の先端位置が下がる。（図７の点線参照）一方、剛性の低い記録用紙が手差しトレイ３４から給紙された場合には、剛性の低い記録用紙が回動部材１５４に当接するが、回動部材１５４は殆ど回動しない。つまり、剛性の低い記録用紙では、回動部材１５４は、図７での反時計回りに殆ど回動せず、回動部材１５４の先端位置は殆ど変化しない。
【００６４】
このように、変形例２のプリンタ部１５０では、記録用紙の剛性が高いほど、回動部材１５４の先端位置、つまり、第２突出部１５２の上端位置が下がる。第２突出部１５２の上端位置が下がると、第２突出部１５２の上端と第１突出部８８の下端とを結ぶ直線の傾斜角度が小さくなる。これにより、手差しトレイ３４から給紙された記録用紙が第２ガイド部材６２に当接する際に、その当接位置が第２ガイド部材６２の前端部に近づく。
【００６５】
記録用紙の第２ガイド部材６２への当接位置が第２ガイド部材６２の前端部付近である場合には、第２ガイド部材６２による記録用紙の変形量は少ない。一方、当接位置が第２ガイド部材６２の前端部から離れるほど、記録用紙の変形量は多くなる。つまり、第２突出部１５２の上端位置が下がるほど、言い換えると、記録用紙の剛性が高いほど、記録用紙の変形量は少ない。したがって、変形例２のプリンタ部１５０では、剛性の高い記録用紙の変形量を少なくすることが可能となり、剛性の高い記録用紙の過度の変形を抑制することが可能となる。
【００６６】
なお、本発明は、上記実施例及び変形例に限定されるものではなく、当業者の知識に基づいて種々の変更、改良を施した種々の態様で実施することが可能である。具体的には、例えば、第１突出部の配設位置は、開口付近に限られず、第２突出部の上流側であれば、いずれの位置でもよい。例えば、上側ガイド部材の中央辺りでもよい。
【００６７】
また、上記実施例では、第１突出部８８の下端と第２突出部１０８の上端とを結ぶ直線１１６は、第２ガイド部材６２の下流側の端部と交わっている。しかし、その直線が第２ガイド部材６２の中央位置付近と交わるように、第１突出部８８と第２突出部１０８との少なくとも一方の配置を変更してもよい。具体的には、例えば、第２突出部１０８を上流側に配置してもよく、第１突出部８８を下流側に配置してもよい。さらに言えば、第２突出部１０８の上端が上方に位置するように、第２突出部１０８を上方に配置してもよく、第１突出部８８の下端が下方に位置するように、第１突出部８８を下方に配置してもよい。
【符号の説明】
【００６８】
２２：プリンタ部
３４：手差しトレイ
３８：開口
４０：給紙部
４２：記録部
４４：搬送路
６０：第１ガイド部材
６２：第２ガイド部材
６３：搬送コロ
６４：第１搬送ローラ
６６：ピンチローラ
６８：ニップ点
７０：プラテン
８２：搬送路
８４：上側ガイド部材
８６：下側ガイド部材
８８：第１突出部
１０６：第４屈曲部
１０８：第２突出部
１１２：傾斜部
１１８：リブ
１２２：傾斜部
１３０：プリンタ部
１３２：第２突出部
１５０：プリンタ部
１５２：第２突出部
１５６：弾性体
【図１】
0005910030.tif 000002
【図２】
0005910030.tif 000003
【図３】
0005910030.tif 000004
【図４】
0005910030.tif 000005
【図５】
0005910030.tif 000006
【図６】
0005910030.tif 000007
【図７】
0005910030.tif 000008
【図８】
0005910030.tif 000009